(57)【要約】【課題】充電ステーションまで走行しなくても蓄電装置を充電可能な移動体の救助システムを提供する。【解決手段】電欠ＥＶ１０１は、電欠ＥＶ１０１の現在位置を含む第１の情報をサーバ２００へ送信する。他の各車両１００は、当該車両１００の現在位置を含む第２の情報をサーバ２００へ送信する。サーバ２００は、他の車両１００から電欠ＥＶ１０１への給電を要求するヘルプ信号を電欠ＥＶ１０１から受信すると、第１の情報及び第２の情報を用いて、他の各車両１００の中から電欠ＥＶ１０１へ給電する救助ＥＶ１０２を選択する。【選択図】図１
2019086841.tif 000002
【特許請求の範囲】
【請求項１】
走行用の電力を蓄える第１の蓄電装置を搭載する第１の移動体と、
各々が走行用の電力を蓄える第２の蓄電装置を搭載する複数の第２の移動体と、
前記第１の移動体及び前記複数の第２の移動体と通信するサーバとを備え、
前記第１の移動体は、前記複数の第２の移動体のいずれかから受電することによって前記第１の蓄電装置を充電可能に構成され、
前記複数の第２の移動体の各々は、前記第２の蓄電装置に蓄えられた電力を前記第１の移動体へ給電可能に構成され、
前記第１の移動体は、前記第１の移動体の現在位置を含む第１の情報を前記サーバへ送信し、
前記複数の第２の移動体の各々は、当該第２の移動体の現在位置を含む第２の情報を前記サーバへ送信し、
前記サーバは、前記複数の第２の移動体のいずれかから前記第１の移動体への給電を要求するヘルプ信号を前記第１の移動体から受信すると、前記第１の情報及び前記第２の情報を用いて、前記複数の第２の移動体の中から前記第１の移動体へ給電する給電移動体を選択する、移動体の救助システム。
【請求項２】
前記複数の第２の移動体の各々は、前記第１の移動体へ給電可能か否かを示す信号を前記サーバへ送信し、
前記サーバは、前記第１の移動体から前記ヘルプ信号を受信すると、前記信号により前記第１の移動体へ給電可能であることを示している第２の移動体の中から、前記第１の情報及び前記第２の情報を用いて前記給電移動体を選択する、請求項１に記載の移動体の救助システム。
【請求項３】
前記サーバは、前記第１の移動体から前記ヘルプ信号を受信すると、前記第１の情報及び前記第２の情報を用いて、前記複数の第２の移動体のうち前記第１の移動体に最も近い移動体を前記給電移動体として選択する、請求項１に記載の移動体の救助システム。
【請求項４】
前記第２の情報は、前記第２の蓄電装置の蓄電量を含み、
前記サーバは、前記第１の移動体から前記ヘルプ信号を受信すると、前記複数の第２の移動体の中から、前記第２の蓄電装置が所定の必要電力量を蓄えている移動体を前記給電移動体として選択し、
前記必要電力量は、前記第２の蓄電装置の蓄電量と、前記第１の移動体への給電場所から前記第２の蓄電装置を充電可能な給電設備まで走行可能な電力量とから算出される、請求項１に記載の移動体の救助システム。
【請求項５】
走行用の電力を蓄える第１の蓄電装置を搭載する第１の移動体、及び各々が走行用の電力を蓄える第２の蓄電装置を搭載する複数の第２の移動体と通信する通信装置を備え、
前記第１の移動体は、前記複数の第２の移動体のいずれかから受電することによって前記第１の蓄電装置を充電可能に構成され、
前記複数の第２の移動体の各々は、前記第２の蓄電装置に蓄えられた電力を前記第１の移動体へ給電可能に構成され、
前記通信装置は、
前記第１の移動体の現在位置を含む第１の情報を前記第１の移動体から受信し、
前記複数の第２の移動体の各々から、当該第２の移動体の現在位置を含む第２の情報を受信し、さらに、
前記複数の第２の移動体のいずれかから前記第１の移動体への給電を要求するヘルプ信号を、前記通信装置を通じて前記第１の移動体から受信すると、前記第１の情報及び前記第２の情報を用いて、前記複数の第２の移動体の中から前記第１の移動体へ給電する移動体を選択する処理を実行する処理装置を備える、サーバ。
【請求項６】
第１の移動体と、複数の第２の移動体と、前記第１の移動体及び前記複数の第２の移動体と通信するサーバとを備えるシステムにおいて用いられる移動体の救助方法であって、
前記第１の移動体は、走行用の電力を蓄える第１の蓄電装置を搭載するとともに、前記複数の第２の移動体のいずれかから受電することによって前記第１の蓄電装置を充電可能に構成され、
前記複数の第２の移動体の各々は、走行用の電力を蓄える第２の蓄電装置を搭載するとともに、前記第２の蓄電装置に蓄えられた電力を前記第１の移動体へ給電可能に構成され、
前記救助方法は、
前記第１の移動体の現在位置を含む第１の情報を前記第１の移動体から前記サーバへ送信するステップと、
前記複数の第２の移動体の各々から、当該第２の移動体の現在位置を含む第２の情報を前記サーバへ送信するステップと、
前記複数の第２の移動体のいずれかから前記第１の移動体への給電を要求するヘルプ信号を前記サーバが前記第１の移動体から受信すると、前記第１の情報及び前記第２の情報を用いて、前記複数の第２の移動体の中から前記第１の移動体へ給電する移動体を選択するステップとを含む、移動体の救助方法。
【発明の詳細な説明】
【技術分野】
【０００１】
本開示は、移動体の救助システム、サーバ、及び移動体の救助方法に関し、特に、走行用の電力を蓄える蓄電装置を搭載する移動体の救助システム、サーバ、及び移動体の救助方法に関する。
【背景技術】
【０００２】
特開２００６−１１３８９２号公報（特許文献１）は、走行用の電力を蓄える蓄電装置の残存容量が少ない電気自動車を確実に充電場所まで到達させることが可能な自動運行マネジメントシステムを開示する。
【０００３】
この自動運行マネジメントシステムでは、蓄電装置の残存容量が規定値以下であると判定されると、充電スタンドの予約が行なわれるとともに、充電スタンドの位置情報が電気自動車に提供される。電気自動車の制御部は、提供された充電スタンドの位置情報及びカーナビゲーション装置に基づく自動運転により、電気自動車を充電スタンドまで自動運行させる（特許文献１参照）。
【先行技術文献】
【特許文献】
【０００４】
【特許文献１】特開２００６−１１３８９２号公報
【発明の概要】
【発明が解決しようとする課題】
【０００５】
しかしながら、蓄電装置の残存容量と、蓄電装置を充電可能な給電設備を有する充電ステーションの位置とによっては、最寄りの充電ステーションまでも走行できない可能性がある。
【０００６】
本開示は、かかる問題を解決するためになされたものであり、その目的は、充電ステーションまで走行しなくても蓄電装置を充電可能な移動体の救助システム、サーバ、及び移動体の救助方法を提供することである。
【課題を解決するための手段】
【０００７】
本開示の移動体の救助システムは、走行用の電力を蓄える第１の蓄電装置を搭載する第１の移動体と、各々が走行用の電力を蓄える第２の蓄電装置を搭載する複数の第２の移動体と、第１の移動体及び複数の第２の移動体と通信するサーバとを備える。第１の移動体は、複数の第２の移動体のいずれかから受電することによって第１の蓄電装置を充電可能に構成される。各第２の移動体は、第２の蓄電装置に蓄えられた電力を第１の移動体へ給電可能に構成される。第１の移動体は、第１の移動体の現在位置を含む第１の情報をサーバへ送信し、各第２の移動体は、当該第２の移動体の現在位置を含む第２の情報をサーバへ送信する。サーバは、複数の第２の移動体のいずれかから第１の移動体への給電を要求するヘルプ信号を第１の移動体から受信すると、第１の情報及び第２の情報を用いて、複数の第２の移動体の中から第１の移動体へ給電する給電移動体（救助ＥＶ）を選択する。
【０００８】
上記のような構成により、複数の第２の移動体の中から選択された給電移動体（救助ＥＶ）を、ヘルプ信号を発した第１の移動体（電欠ＥＶ）のもとへ移動させて、給電移動体から第１の移動体へ給電することができる。したがって、この移動体の救助システムによれば、第１の移動体が充電ステーションまで走行しなくても、第１の移動体に搭載された第１の蓄電装置を充電することができる。
【０００９】
各第２の移動体は、第１の移動体へ給電可能か否かを示す信号（救助意思信号）をサーバへ送信するようにしてもよい。そして、サーバは、第１の移動体からヘルプ信号を受信すると、第１の移動体へ給電可能か否かを示す上記信号により第１の移動体へ給電可能であることを示している第２の移動体の中から、第１の情報及び第２の情報を用いて給電移動体を選択してもよい。
【００１０】
これにより、第１の移動体への給電が不可能な第２の移動体が給電移動体として選択されるのを回避することができる。
【００１１】
サーバは、第１の移動体からヘルプ信号を受信すると、第１の情報及び第２の情報を用いて、複数の第２の移動体のうち第１の移動体に最も近い移動体を給電移動体として選択してもよい。
【００１２】
これにより、ヘルプ信号を発した第１の移動体のもとへ給電移動体を最短で移動させて、給電移動体から第１の移動体へ給電することができる。
【００１３】
第２の情報は、第２の蓄電装置の蓄電量を含んでもよい。そして、サーバは、第１の移動体からヘルプ信号を受信すると、複数の第２の移動体の中から、第２の蓄電装置が所定の必要電力量（供給可能電力量）を蓄えている移動体を給電移動体として選択してもよい。ここで、上記必要電力量は、第２の蓄電装置の蓄電量と、第１の移動体への給電場所から第２の蓄電装置を充電可能な給電設備まで走行可能な電力量とから算出される。
【００１４】
これにより、給電移動体から第１の移動体への給電終了後に給電移動体が給電設備（充電ステーション）まで走行不可能となる事態を回避し得る。
【００１５】
また、本開示のサーバは、通信装置と、処理装置とを備える。通信装置は、走行用の電力を蓄える第１の蓄電装置を搭載する第１の移動体、及び各々が走行用の電力を蓄える第２の蓄電装置を搭載する複数の第２の移動体と通信する。第１の移動体は、複数の第２の移動体のいずれかから受電することによって第１の蓄電装置を充電可能に構成される。各第２の移動体は、第２の蓄電装置に蓄えられた電力を第１の移動体へ給電可能に構成される。通信装置は、第１の移動体の現在位置を含む第１の情報を第１の移動体から受信し、各第２の移動体から当該第２の移動体の現在位置を含む第２の情報を受信する。処理装置は、複数の第２の移動体のいずれかから第１の移動体への給電を要求するヘルプ信号を、通信装置を通じて第１の移動体から受信すると、第１の情報及び第２の情報を用いて、複数の第２の移動体の中から第１の移動体へ給電する移動体（救助ＥＶ）を選択する処理を実行する。
【００１６】
また、本開示の救助方法は、第１の移動体と、複数の第２の移動体と、第１の移動体及び複数の第２の移動体と通信するサーバとを備えるシステムにおいて用いられる移動体の救助方法である。第１の移動体は、走行用の電力を蓄える第１の蓄電装置を搭載するとともに、複数の第２の移動体のいずれかから受電することによって第１の蓄電装置を充電可能に構成される。各第２の移動体は、走行用の電力を蓄える第２の蓄電装置を搭載するとともに、第２の蓄電装置に蓄えられた電力を第１の移動体へ給電可能に構成される。そして、救助方法は、第１の移動体の現在位置を含む第１の情報を第１の移動体からサーバへ送信するステップと、各第２の移動体から当該第２の移動体の現在位置を含む第２の情報をサーバへ送信するステップと、複数の第２の移動体のいずれかから第１の移動体への給電を要求するヘルプ信号をサーバが第１の移動体から受信すると、第１の情報及び第２の情報を用いて、複数の第２の移動体の中から第１の移動体へ給電する移動体（救助ＥＶ）を選択するステップとを含む。
【発明の効果】
【００１７】
本開示によれば、充電ステーションまで走行しなくても蓄電装置を充電可能な移動体の救助システム、サーバ、及び移動体の救助方法を提供することができる。
【図面の簡単な説明】
【００１８】
【図１】実施の形態１に従う移動体救助システムの全体構成を概略的に示す図である。
【図２】車両の構成の一例を示す図である。
【図３】電欠した車両へ他の車両から電力を供給する様子を示した図である。
【図４】車両の制御装置及びサーバの構成をより詳細に示す図である。
【図５】実施の形態１に従う移動体救助システムの各要素間における情報のやり取りを示すシーケンス図である。
【図６】サーバの車両情報ＤＢに格納されるデータの構成を示す図である。
【図７】電欠ＥＶの制御装置により実行される処理の手順を説明するためのフローチャートである。
【図８】サーバの処理装置により実行される処理の手順を説明するためのフローチャートである。
【図９】実施の形態２におけるサーバの処理装置により実行される処理の手順を説明するためのフローチャートである。
【発明を実施するための形態】
【００１９】
以下、本開示の実施の形態について、図面を参照しながら詳細に説明する。なお、図中同一又は相当部分には同一符号を付してその説明は繰り返さない。
【００２０】
［実施の形態１］
＜システム構成＞
図１は、実施の形態１に従う移動体救助システム１０の全体構成を概略的に示す図である。図１を参照して、移動体救助システム１０は、複数の電動車両（以下、単に「車両」とも称する。）１００と、サーバ２００とを備える。各車両１００及びサーバ２００は、インターネット或いは電話回線等の通信ネットワーク５００を介して互いに通信可能に構成される。なお、各車両１００は、通信ネットワーク５００の基地局５１０と無線通信によって情報の授受が可能に構成される。
【００２１】
各車両１００は、図２で後述するように、搭載された蓄電装置からの電力を用いて走行駆動力を生成するとともに、車両外部の電源から供給される電力を用いて蓄電装置を充電可能な電気自動車（以下「ＥＶ（Electric  Vehicle）」とも称する。）である。また、各車両１００は、搭載された蓄電装置の電力を他の車両１００の蓄電装置へ供給可能に構成されている。
【００２２】
サーバ２００は、各車両１００と通信ネットワーク５００を通じて通信を行ない、各車両１００と各種情報をやり取りする。サーバ２００の構成及び動作については、後ほど詳しく説明する。
【００２３】
図２は、車両１００の構成の一例を示す図である。図２を参照して、車両１００は、蓄電装置１１０と、システムメインリレー（System  Main  Relay）ＳＭＲと、ＰＣＵ（Power  Control  Unit）１２０と、モータジェネレータ１３０と、動力伝達ギヤ１３５と、駆動輪１４０とを備える。また、車両１００は、双方向電力変換装置１５０と、インレット１５５と、充電リレーＲＹと、制御装置１６０とをさらに備える。
【００２４】
蓄電装置１１０は、充放電可能に構成された電力貯蔵要素である。蓄電装置１１０は、たとえば、リチウムイオン電池或いはニッケル水素電池等の二次電池や、電気二重層キャパシタ等の蓄電素子を含んで構成される。蓄電装置１１０は、図示しないセンサによって検出された蓄電装置１１０の電圧及び電流の検出値を制御装置１６０へ出力する。
【００２５】
ＰＣＵ１２０は、モータジェネレータ１３０を駆動する駆動装置であり、コンバータやインバータ等（いずれも図示せず）の電力変換装置を含んで構成される。ＰＣＵ１２０は、制御装置１６０によって制御され、蓄電装置１１０から受ける直流電力を、モータジェネレータ１３０を駆動するための交流電力に変換する。
【００２６】
モータジェネレータ１３０は、交流回転電機であり、たとえば、永久磁石が埋設されたロータを備える永久磁石型同期電動機である。モータジェネレータ１３０の出力トルクは、動力伝達ギヤ１３５を通じて駆動輪１４０に伝達され、車両１００を走行させる。また、モータジェネレータ１３０は、車両１００の制動動作時には、駆動輪１４０の回転力によって発電することができる。その発電電力は、ＰＣＵ１２０によって蓄電装置１１０の充電電力に変換される。
【００２７】
制御装置１６０は、ＥＣＵ（Electronic  Control  Unit）、各種センサ、ナビゲーション装置、通信モジュール等を含み（図２では図示せず）、各種センサからの信号の入力や各機器への制御信号の出力を行なうとともに、車両１００及び各機器の制御を行なう。制御装置１６０の構成については、後ほど詳しく説明する。
【００２８】
双方向電力変換装置１５０は、充電リレーＲＹを介して蓄電装置１１０に接続される。また、双方向電力変換装置１５０は、電力線ＡＣＬ１，ＡＣＬ２によりインレット１５５に接続される。双方向電力変換装置１５０は、制御装置１６０によって制御され、インレット１５５から入力される電力を、蓄電装置１１０を充電可能な電力に変換する。また、双方向電力変換装置１５０は、蓄電装置１１０から供給される電力を、所定の電圧レベルの電力に変換してインレット１５５へ供給する。
【００２９】
このように、車両１００は、双方向電力変換装置１５０によって、インレット１５５から入力される電力を用いて蓄電装置１１０を充電可能であるとともに、蓄電装置１１０に蓄えられた電力をインレット１５５から車両外部へ供給可能である。これにより、この移動体救助システム１０では、蓄電電力に余裕のある車両１００から電欠した車両１００へ電力を供給することができる。
【００３０】
図３は、電欠した車両１００へ他の車両１００から電力を供給する様子を示した図である。図３を参照して、電力を受ける車両１００（以下「電欠ＥＶ１０１」とも称する。）のインレット１５５と、電力を供給する車両１００（以下「救助ＥＶ１０２」とも称する。）のインレット１５５とが、電力ケーブル３００を通じて接続される。
【００３１】
そして、救助ＥＶ１０２の蓄電装置１１０から電力ケーブル３００を通じて電欠ＥＶ１０１の蓄電装置１１０へ電力が供給される。これにより、救助ＥＶ１０２の蓄電装置１１０は放電され、電欠ＥＶ１０１の蓄電装置１１０は充電される。
【００３２】
なお、上記では、各車両１００は、双方向電力変換装置１５０を備えるものとしたが、救助ＥＶ１０２から給電を受ける電欠ＥＶ１０１については、双方向電力変換装置１５０に代えて、インレット１５５から入力される電力を蓄電装置１１０の充電電力に変換する機能のみを有する充電装置を備えてもよい。また、電欠ＥＶ１０１へ給電する救助ＥＶ１０２については、双方向電力変換装置１５０に代えて、蓄電装置１１０に蓄えられた電力を変換してインレット１５５へ供給する機能のみを有する給電装置を備えてもよい。
【００３３】
図４は、車両１００の制御装置１６０及びサーバ２００の構成をより詳細に示す図である。図４を参照して、車両１００の制御装置１６０は、ＥＣＵ１７０と、ナビゲーション装置１８５と、通信モジュール１９０とを備える。ＥＣＵ１７０、ナビゲーション装置１８５、及び通信モジュール１９０は、ＣＡＮ（Controller  Area  Network）等の有線の車載ネットワーク１９５により互いに接続されている。
【００３４】
ＥＣＵ１７０は、ＣＰＵ（Central  Processing  Unit）１７１と、メモリ１７２と、入出力バッファ１７３とを含んで構成される。ＥＣＵ１７０は、図示されない各種センサからの信号に応じて車両１００が所望の状態となるように機器類を制御する。たとえば、ＥＣＵ１７０は、駆動装置であるＰＣＵ１２０（図２）を制御することによって、車両１００の走行を実現するための各種制御を実行する。また、ＥＣＵ１７０は、蓄電装置１１０の電圧及び電流の検出値を受け、これらの検出値に基づいて蓄電装置１１０のＳＯＣ（State  Of  Charge）を算出する。
【００３５】
ナビゲーション装置１８５は、人工衛星（図示せず）からの電波に基づいて車両１００の位置を特定するＧＰＳ受信機１８６を含む。ナビゲーション装置１８５は、ＧＰＳ受信機１８６により特定された車両１００の位置情報（ＧＰＳ情報）を用いて車両１００の各種ナビゲーション処理を実行する。具体的には、ナビゲーション装置１８５は、車両１００のＧＰＳ情報とメモリ（図示せず）に格納された道路地図データとに基づいて、車両１００の現在地から目的地までの走行ルート（走行予定ルート又は目標ルート）算出し、目標ルートの情報をＥＣＵ１７０に出力する。なお、ナビゲーション装置１８５は、ディスプレイの表示及びスピーカ（いずれも図示せず）の音声出力により目標ルートをユーザに報知する。
【００３６】
通信モジュール１９０は、車載ＤＣＭ（Data  Communication  Module）であって、通信ネットワーク５００（図１）を通じてサーバ２００の通信装置２１０との間で双方向のデータ通信が可能なように構成されている。
【００３７】
サーバ２００は、通信装置２１０と、記憶装置２２０と、処理装置２３０とを含む。通信装置２１０は、通信ネットワーク５００（図１）を通じて車両１００の通信モジュール１９０との間で双方向のデータ通信が可能なように構成される。
【００３８】
記憶装置２２０は、地図情報データベース（ＤＢ）２２１と、車両情報データベース（ＤＢ）２２２とを含む。地図情報ＤＢ２２１には、地図情報に関するデータが記憶されている。車両情報ＤＢ２２２は、この移動体救助システム１０で利用される各車両１００の情報を格納する。移動体救助システム１０で利用される各車両１００は、事前の登録手続きを行なうことにより移動体救助システム１０で利用されることができ、登録された車両１００の情報が車両情報ＤＢ２２２に格納される。車両情報ＤＢのデータ構成については、後ほど説明する。
【００３９】
処理装置２３０は、他の車両１００からの給電を要求するヘルプ信号を電欠ＥＶ１０１から受信すると、車両情報ＤＢ２２２に格納された車両情報に基づいて、複数の車両１００（電欠ＥＶ１０１を除く。）の中から電欠ＥＶ１０１へ給電する救助ＥＶ１０２を選択する。そして、処理装置２３０は、選択された救助ＥＶ１０２へ、電欠ＥＶ１０１のもとへの救助依頼を通知する。
【００４０】
＜電欠ＥＶ１０１の救助方法＞
ＥＶである車両１００は、蓄電装置１１０のＳＯＣが低下すると、給電設備を有する充電ステーションまで走行して給電設備により蓄電装置１１０を充電することができる。しかしながら、蓄電装置１１０のＳＯＣと、蓄電装置１１０を充電可能な充電ステーションの位置とによっては、最寄りの充電ステーションまでも走行できない可能性がある。
【００４１】
そこで、この実施の形態１では、他の車両１００からの給電を要求するヘルプ信号が電欠ＥＶ１０１から発せられると、複数の車両１００の中から救助ＥＶ１０２が選択され、選択された救助ＥＶ１０２から電欠ＥＶ１０１へ給電可能とするシステムが提供される。このようなシステムによって、電欠ＥＶ１０１が充電ステーションまで走行しなくても、救助ＥＶ１０２を用いて、電欠ＥＶ１０１に搭載された蓄電装置１１０を充電することができる。以下、本実施の形態１に従う移動体救助システム１０の制御の詳細について説明する。
【００４２】
図５は、実施の形態１に従う移動体救助システム１０の各要素（電欠ＥＶ１０１、救助ＥＶ１０２、サーバ２００）間における情報のやり取りを示すシーケンス図である。なお、この図５では、理解を容易にするために、車両１００について、電欠ＥＶ１０１と救助ＥＶ１０２とのみが示されているが、実際には、救助ＥＶ１０２の候補となり得る車両１００が複数存在する。
【００４３】
図５を参照して、電欠ＥＶ１０１及び救助ＥＶ１０２は、事前に利用登録を行なっておく必要があり、事前の利用登録によって電欠ＥＶ１０１及び救助ＥＶ１０２の情報（所有者や車種等）がサーバ２００に登録される。
【００４４】
救助ＥＶ１０２は、他の車両１００に対する救助依頼（給電依頼）を受けた場合に救助（給電）可能であるか否かを示す信号（救助意思信号）をサーバ２００へ送信する。また、救助ＥＶ１０２は、自車の現在位置及び蓄電装置１１０のＳＯＣを示す情報（第２の情報）をサーバ２００へ送信する。救助意思信号、並びに現在位置及びＳＯＣを示す情報は、救助ＥＶ１０２からサーバ２００へ定期的に送信され、サーバ２００の車両情報ＤＢ２２２に格納される。
【００４５】
電欠ＥＶ１０１は、電欠ＥＶ１０１に搭載される蓄電装置１１０のＳＯＣが所定値未満になると、他の車両１００からの給電を要求するヘルプ信号をサーバ２００へ送信する。また、電欠ＥＶ１０１は、ヘルプ信号とともに、自車の現在位置及び蓄電装置１１０のＳＯＣを示す情報（第１の情報）をサーバ２００へ送信する。
【００４６】
サーバ２００は、電欠ＥＶ１０１からヘルプ信号を受信すると、車両情報ＤＢ２２２に格納された各車両１００の情報を参照して、複数の車両１００の中から、電欠ＥＶ１０１のもとへ移動して電欠ＥＶ１０１へ給電する救助ＥＶ１０２を選択する。そして、サーバ２００は、選択された救助ＥＶ１０２へ救助依頼（電欠ＥＶ１０１への給電依頼）を送信する。この救助依頼には、電欠ＥＶ１０１の位置情報、及び電欠ＥＶ１０１へ給電する電力量を示す要求電力量の情報等が含まれる。
【００４７】
サーバ２００から救助依頼（給電依頼）を受信した救助ＥＶ１０２は、救助可能を示す確認信号をサーバ２００へ送信するとともに、電欠ＥＶ１０１の位置情報に基づいて、救助ＥＶ１０２の現在位置から電欠ＥＶ１０１の位置までの走行ルートを検索する。
【００４８】
一方、サーバ２００は、救助ＥＶ１０２から確認信号を受信すると、救助ＥＶ１０２による救助通知を電欠ＥＶ１０１へ送信する。この救助通知には、救助ＥＶ１０２の情報（車種等の救助ＥＶ１０２を特定する情報や救助ＥＶ１０２から給電可能な電力量等）、及び電欠ＥＶ１０１の現在位置周辺の充電ステーションに関する位置情報等が含まれる。
【００４９】
救助ＥＶ１０２は、電欠ＥＶ１０１の位置までの走行ルートが検索されると、検索された走行ルートに従って電欠ＥＶ１０１のもとへ移動する（配車）。そして、救助ＥＶ１０２は、電欠ＥＶ１０１又は救助ＥＶ１０２のユーザによって電欠ＥＶ１０１及び救助ＥＶ１０２間に接続される電力ケーブル３００を通じて、電欠ＥＶ１０１への給電を実行する。一方、電欠ＥＶ１０１は、電力ケーブル３００を通じて、救助ＥＶ１０２からの受電（電欠ＥＶ１０１に搭載される蓄電装置１１０の充電）を実行する。
【００５０】
図６は、サーバ２００の車両情報ＤＢ２２２に格納されるデータの構成を示す図である。図６を参照して、車両ＩＤは、車両１００を特定するための識別番号であり、その車両１００の所有者、車種、現在位置、ＳＯＣ、ヘルプ信号の受信有無、要求電力量、救助意思の有無、供給可能電力量、外部給電可否、車両状況等を示す各種データが車両ＩＤに対応付けられている。
【００５１】
車両情報ＤＢ２２２において、現在位置は、車両１００の現在位置を示す。ＳＯＣは、車両１００に搭載されている蓄電装置１１０のＳＯＣを示す。この現在位置及びＳＯＣは、各車両１００のシステムが起動されている間は各車両１００からサーバ２００へ時々刻々と定期的に送信され、車両情報ＤＢ２２２に格納される。
【００５２】
ヘルプ信号は、車両１００からヘルプ信号を受信しているか否かを示す。要求電力量は、ヘルプ信号を発している車両１００（電欠ＥＶ１０１）が要求する電力量を示す。要求電力量は、たとえば、車種に応じて設定されてもよいし、事前の利用登録時に設定されてもよい。この図６では、一例として、車両ＩＤがＥ００１の車両１００からヘルプ信号を受信しており、その車両１００（電欠ＥＶ１０１）に対して電力量Ｐ１の給電が要求されていることが示されている。
【００５３】
救助意思は、車両１００から救助意思信号を受信しているか否かを示す。上述のように、救助意思信号は、他の車両１００に対する救助依頼（給電依頼）を受けた場合に救助（給電）可能であるか否かを示す信号であり、この図６では、一例として、車両ＩＤがＥ００２，Ｅ００３の各車両１００から救助意思信号を受信していることが示されている。
【００５４】
供給可能電力量は、救助意思信号を発している車両１００が他の車両１００へ供給可能な電力量を示す。供給可能電力量は、事前の利用登録時に設定されてもよいし、救助意思信号を発している車両１００から時々刻々と受信するようにしてもよい。
【００５５】
外部給電可否は、蓄電装置１１０に蓄えられた電力を他の車両１００へ給電可能か否かを示す。具体的には、双方向電力変換装置１５０を搭載する車両１００であれば、外部給電可能な車両であり、双方向電力変換装置１５０に代えて、蓄電装置１１０を充電する機能のみを有する充電装置を搭載する車両１００であれば、外部給電不可能な車両である。この図６では、一例として、車両ＩＤがＥ００２からＥ００４の各車両１００は、双方向電力変換装置１５０を搭載した外部給電可能な車両であり、車両ＩＤがＥ００１の車両１００（電欠ＥＶ１０１）は、外部給電機能を有さない充電装置を搭載した外部給電不可能な車両である。なお、この外部給電可否の情報については、車両１００の利用登録時に設定され得る。
【００５６】
車両状況は、車両１００が電欠中であるか救助中であるかのデータを含む。この図６では、一例として、ヘルプ信号を発している、車両ＩＤがＥ００１の車両１００は、電欠中であることが示されており、外部給電可能な車両１００のうちの、車両ＩＤがＥ００２の車両１００は、電欠中の車両１００（電欠ＥＶ１０１）の救助中であることが示されている。
【００５７】
図７は、電欠ＥＶ１０１の制御装置１６０により実行される処理の手順を説明するためのフローチャートである。図７を参照して、電欠ＥＶ１０１の制御装置１６０は、蓄電装置１１０のＳＯＣが所定値未満となったか否かを判定する（ステップＳ１０）。この所定値は、ＳＯＣの低下によりまもなく走行不能となるＳＯＣ値に設定される。そして、ＳＯＣが所定値未満であると判定されると（ステップＳ１０においてＹＥＳ）、制御装置１６０は、車両を停車させる（ステップＳ２０）。
【００５８】
次いで、制御装置１６０は、他の車両１００からの給電を要求するヘルプ信号をサーバ２００へ送信する（ステップＳ３０）。さらに、制御装置１６０は、当該車両（電欠ＥＶ１０１）の現在位置情報をナビゲーション装置１８５により取得するとともに蓄電装置１１０のＳＯＣを算出し、現在位置及びＳＯＣの各情報をサーバ２００へ送信する（ステップＳ４０）。
【００５９】
なお、ヘルプ信号、並びに車両の現在位置及びＳＯＣの各情報をサーバ２００へ送信するタイミングは、ステップＳ１０においてＳＯＣが所定値未満であると判定された後、ステップＳ２０において車両を停車させる前であってもよい。
【００６０】
図８は、サーバ２００の処理装置２３０により実行される処理の手順を説明するためのフローチャートである。このフローチャートに示される一連の処理は、サーバ２００が電欠ＥＶ１０１からヘルプ信号を受信すると開始される。
【００６１】
図８を参照して、サーバ２００（処理装置２３０）は、電欠ＥＶ１０１からヘルプ信号を受信すると、電欠ＥＶ１０１の車両ＩＤと対応付けて、ヘルプ信号を受信した旨を車両情報ＤＢ２２２に格納する。また、サーバ２００は、ヘルプ信号とともに電欠ＥＶ１０１から受信する、電欠ＥＶ１０１の現在位置及び蓄電装置１１０のＳＯＣを示す各情報も、電欠ＥＶ１０１の車両ＩＤと対応付けて車両情報ＤＢ２２２に格納する。
【００６２】
そして、サーバ２００は、車両情報ＤＢ２２２を参照して、救助意思を示している車両１００（電欠ＥＶ１０１を除く）を抽出する（ステップＳ１１０）。次いで、サーバ２００は、抽出された各車両１００について、当該車両の現在位置と、ヘルプ信号を発している車両１００（電欠ＥＶ１０１）の現在位置とを車両情報ＤＢ２２２から読出す。そして、サーバ２００は、地図情報ＤＢ２２１を参照して、抽出された各車両１００と電欠ＥＶ１０１との間の走行距離を算出する（ステップＳ１２０）。
【００６３】
サーバ２００は、算出された各車両１００と電欠ＥＶ１０１との間の走行距離に基づいて、電欠ＥＶ１０１から最も近い位置にいる車両１００（電欠ＥＶ１０１までの走行距離が最も短い車両１００）を、電欠ＥＶ１０１への給電を行なう救助ＥＶ１０２として選択する（ステップＳ１３０）。これにより、電欠ＥＶ１０１への給電に向かう救助ＥＶ１０２の電力消費を抑えつつ、短時間で救助ＥＶ１０２を電欠ＥＶ１０１のもとへ配車することができる。
【００６４】
そして、サーバ２００は、選択された救助ＥＶ１０２へ救助依頼（給電依頼）を送信する（ステップＳ１４０）。この際、サーバ２００は、電欠ＥＶ１０１の位置情報及び要求電力量の各情報を車両情報ＤＢ２２２から読出して、救助依頼とともに救助ＥＶ１０２へ送信する。これにより、サーバ２００から救助依頼を受信した救助ＥＶ１０２が電欠ＥＶ１０１の位置へ移動し、救助ＥＶ１０２から電欠ＥＶ１０１への給電が行なわれる。
【００６５】
以上のように、この実施の形態１によれば、複数の車両１００の中から選択された救助ＥＶ１０２を、ヘルプ信号を発した電欠ＥＶ１０１のもとへ移動させて、救助ＥＶ１０２から電欠ＥＶ１０１へ給電することができる。したがって、この実施の形態１によれば、電欠ＥＶ１０１が充電ステーションまで走行しなくても、電欠ＥＶ１０１に搭載された蓄電装置１１０を充電することができる。
【００６６】
また、この実施の形態１によれば、電欠ＥＶ１０１へ給電可能か否かを示す救助意思信号により電欠ＥＶ１０１へ給電可能であることを示している車両１００の中から救助ＥＶ１０２が選択されるので、電欠ＥＶ１０１への給電が不可能な車両１００が救助ＥＶ１０２として選択されるのを回避することができる。
【００６７】
また、この実施の形態１によれば、複数の車両１００のうち電欠ＥＶ１０１に最も近い車両１００が救助ＥＶ１０２として選択されるので、ヘルプ信号を発した電欠ＥＶ１０１のもとへ救助ＥＶ１０２を最短で移動させて、救助ＥＶ１０２から電欠ＥＶ１０１へ給電することができる。
【００６８】
［実施の形態２］
上記の実施の形態１では、救助ＥＶ１０２として、電欠ＥＶ１０１から最も近い車両１００が選択されるものとした。この実施の形態２では、救助ＥＶ１０２から電欠ＥＶ１０１への給電後に、救助ＥＶ１０２が周辺の充電ステーションまで走行できるように、電欠ＥＶ１０１周辺の充電ステーションの位置を考慮して救助ＥＶ１０２が選択される。
【００６９】
この実施の形態２に従う移動体救助システムの全体構成は、図１に示した実施の形態１に従う移動体救助システム１０と同じである。
【００７０】
図９は、実施の形態２におけるサーバ２００の処理装置２３０により実行される処理の手順を説明するためのフローチャートである。このフローチャートに示される一連の処理も、サーバ２００が電欠ＥＶ１０１からヘルプ信号を受信すると開始される。
【００７１】
図９を参照して、サーバ２００（処理装置２３０）は、電欠ＥＶ１０１からヘルプ信号を受信すると、車両情報ＤＢ２２２を参照して、救助意思を示している車両１００（電欠ＥＶ１０１を除く）を抽出する（ステップＳ２１０）。そして、サーバ２００は、地図情報ＤＢ２２１を参照して、抽出された各車両１００と電欠ＥＶ１０１との間の走行距離を算出する（ステップＳ２２０）。なお、このステップＳ２１０，Ｓ２２０において実行される各処理は、それぞれ図８に示したステップＳ１１０，Ｓ１２０において実行される各処理と同じである。
【００７２】
サーバ２００は、ステップＳ２２０において算出された各車両１００と電欠ＥＶ１０１との間の走行距離に基づいて、電欠ＥＶ１０１から最も近い位置にいる車両１００（電欠ＥＶ１０１までの走行距離が最も短い車両１００）を、電欠ＥＶ１０１への給電を行なう救助ＥＶ１０２として仮選択する（ステップＳ２３０）。
【００７３】
次いで、サーバ２００は、車両情報ＤＢ２２２及び地図情報ＤＢ２２１を参照して、電欠ＥＶ１０１の周辺の充電ステーションを検索する（ステップＳ２４０）。そして、サーバ２００は、ステップＳ２３０において仮選択された救助ＥＶ１０２の蓄電装置１１０のＳＯＣと、ステップＳ２４０において検索された充電ステーションの位置とを考慮して、救助ＥＶ１０２が電欠ＥＶ１０１へ給電可能な供給可能電力量を算出する（ステップＳ２５０）。
【００７４】
詳しくは、サーバ２００は、電欠ＥＶ１０１の現在位置から検索された充電ステーションまで救助ＥＶ１０２が走行可能な電力量を算出し、その算出された電力量と救助ＥＶ１０２のＳＯＣ（残存電力量）とから、救助ＥＶ１０２が電欠ＥＶ１０１へ給電可能な供給可能電力量を算出する。
【００７５】
なお、電欠ＥＶ１０１の周辺の充電ステーションは、電欠ＥＶ１０１から最も近い充電ステーションであってもよいし、救助ＥＶ１０２に提示して救助ＥＶ１０２において選択可能としてもよい。また、救助ＥＶ１０２が給電可能な供給可能電力量の算出について、サーバ２００は、供給可能電力量を算出するために、救助ＥＶ１０２の電費を示す情報を救助ＥＶ１０２から取得してもよいし、救助ＥＶ１０２が自らの供給可能電力量を算出し、その算出結果をサーバ２００が救助ＥＶ１０２から取得してもよい。
【００７６】
次いで、サーバ２００は、ステップＳ２４０において検索された充電ステーションの位置を考慮して、電欠ＥＶ１０１が要求する電力量を算出する（ステップＳ２６０）。詳しくは、サーバ２００は、電欠ＥＶ１０１の現在位置から検索された充電ステーションまで電欠ＥＶ１０１が走行可能な電力量を電欠ＥＶ１０１の要求電力量として算出する。
【００７７】
そして、サーバ２００は、ステップＳ２５０において算出された救助ＥＶ１０２の供給可能電力量と、ステップＳ２６０において算出された電欠ＥＶ１０１の要求電力量とを比較することによって、救助ＥＶ１０２により電欠ＥＶ１０１を救助可能であるか否かを判定する（ステップＳ２７０）。
【００７８】
具体的には、救助ＥＶ１０２の供給可能電力量が電欠ＥＶ１０１の要求電力量以上である場合には、救助ＥＶ１０２により電欠ＥＶ１０１を救助可能であると判定される。一方、救助ＥＶ１０２の供給可能電力量が電欠ＥＶ１０１の要求電力量よりも小さい場合には、救助ＥＶ１０２による電欠ＥＶ１０１の救助は不可能であると判定される。すなわち、上記の供給可能電力量は、車両１００が救助ＥＶ１０２として選択されるための必要電力量であるといえる。
【００７９】
ステップＳ２７０において、救助ＥＶ１０２による電欠ＥＶ１０１の救助は不可能であると判定されると（ステップＳ２７０においてＮＯ）、サーバ２００は、ステップＳ２１０において抽出された車両１００の中から、電欠ＥＶ１０１から次に近い位置にいる車両１００を、電欠ＥＶ１０１への給電を行なう救助ＥＶ１０２として仮選択する（ステップＳ２９０）。そして、サーバ２００は、ステップＳ２５０へ処理を戻し、再度ステップＳ２５０からステップＳ２７０の各処理を実行する。
【００８０】
なお、特に図示していないが、ステップＳ２９０において救助ＥＶ１０２として仮選択可能な車両１００がない場合は、サーバ２００は、たとえばＪＡＦ（登録商標）や販売店に救助依頼を送信し、その後エンドへと処理を移行するようにしてもよい。
【００８１】
一方、ステップＳ２７０において、救助ＥＶ１０２により電欠ＥＶ１０１を救助可能であると判定されると（ステップＳ２７０においてＹＥＳ）、サーバ２００は、選択された救助ＥＶ１０２へ救助依頼（給電依頼）を送信する（ステップＳ２８０）。なお、ステップＳ２８０において実行される処理は、図８に示したステップＳ１４０において実行される処理と同じである。
【００８２】
以上のように、この実施の形態２においては、救助ＥＶ１０２から電欠ＥＶ１０１への給電後に、救助ＥＶ１０２が周辺の充電ステーションまで走行できるように、電欠ＥＶ１０１周辺の充電ステーションの位置を考慮して救助ＥＶ１０２が選択される。したがって、この実施の形態２によれば、救助ＥＶ１０２から電欠ＥＶ１０１への給電終了後に救助ＥＶ１０２が充電ステーションまで走行不可能となる事態を回避し得る。
【００８３】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味及び範囲内でのすべての変更が含まれることが意図される。
【符号の説明】
【００８４】
１０  移動体救助システム、１００  車両、１０１  電欠ＥＶ、１０２  救助ＥＶ、１１０  蓄電装置、１２０  ＰＣＵ、１３０  モータジェネレータ、１３５  動力伝達ギヤ、１４０  駆動輪、１５０  充電装置、１５５  インレット、１６０  制御装置、１７０  ＥＣＵ、１７１  ＣＰＵ、１７２  メモリ、１７３  入出力バッファ、１８５  ナビゲーション装置、１８６  ＧＰＳ受信機、１９０  通信モジュール、２００  サーバ、２１０  通信装置、２２０  記憶装置、２２１  地図情報ＤＢ、２２２  車両情報ＤＢ、２３０  処理装置、３００  電力ケーブル、５００  通信ネットワーク、５１０  基地局、ＳＭＲ  システムメインリレー、ＲＹ  充電リレー。
【図１】
2019086841.tif 000003
【図２】
2019086841.tif 000004
【図３】
2019086841.tif 000005
【図４】
2019086841.tif 000006
【図５】
2019086841.tif 000007
【図６】
2019086841.tif 000008
【図７】
2019086841.tif 000009
【図８】
2019086841.tif 000010
【図９】
2019086841.tif 000011